(57)【要約】【課題】植物の根の伸長状況を監視することができる防水緑化構造を提供する。【解決手段】防水層部１０上に緑化層部３０を敷設した防水緑化構造１であって、緑化層部３０は、土壌層４７と、保水排水層４１と、周縁部から延在する点検用凹部３４が下面に形成された板部材３３を敷設してなる点検層３２と、下方への根の侵入を防ぐ耐根層３１とを備え、緑化層部３０の側方には、点検用凹部３４を露出させるための点検スペース７０が設けられていることを特徴とする。点検スペース７０は、緑化層部３０の外周部の全周に亘って設けられている。【選択図】図１
2014171414.tif 000002
【特許請求の範囲】
【請求項１】
防水層部上に緑化層部を敷設した防水緑化構造であって、
前記緑化層部は、土壌層と、保水排水層と、周縁部から延在する点検用凹部が下面に形成された板部材を敷設してなる点検層と、下方への根の侵入を防ぐ耐根層とを備え、
前記緑化層部の側方には、前記点検用凹部を露出させるための点検スペースが設けられている
ことを特徴とする防水緑化構造。
【請求項２】
前記点検スペースは、前記緑化層部の外周部の全周に亘って設けられている
ことを特徴とする請求項１に記載の防水緑化構造。
【請求項３】
前記点検スペースには、ドレイン管の吸水口が形成されている
ことを特徴とする請求項１または請求項２に記載の防水緑化構造。
【請求項４】
前記防水層部内には、下部耐根層が設けられており、
前記耐根層と併せて、耐根層が二層構造になっている
ことを特徴とする請求項１乃至請求項３のいずれか一項に記載の防水緑化構造。
【請求項５】
前記土壌層の下部には、ワイヤーメッシュが敷設されている
ことを特徴とする請求項１乃至請求項４のいずれか一項に記載の防水緑化構造。
【発明の詳細な説明】
【技術分野】
【０００１】
本発明は、防水緑化構造に関する。
【背景技術】
【０００２】
屋上やバルコニーなどの緑化構造では、防水層の上に緑化層を敷設するようになっている。防水層の防水仕様は、一般的に防水的信頼性の高い仕様が採用されており、さらに防水層の上には耐根層が敷設されている。一方、防水層の上に敷設される緑化層としては、土壌層の下部に保水排水基板が設けられたものが知られている（例えば、特許文献１参照）。保水排水基板は、上面で保水し、下面の溝と防水層との間に形成された排水路で排水するようになっている。
【先行技術文献】
【特許文献】
【０００３】
【特許文献１】特開２００７−２０４６４号公報
【発明の概要】
【発明が解決しようとする課題】
【０００４】
前記したような従来の緑化構造では、土壌および植物が防水層の上に載ってしまうため、防水層の点検やメンテナンスが容易にできない。さらに、万一、漏水などの不具合が生じた場合には、緑化層を撤去する必要があるため、大掛かりな補修工事となってしまい、多くの手間とコストがかかってしまう問題があった。
【０００５】
漏水の原因のひとつとして、植物の根が伸びて防水層を貫通してしまうことが考えられるが、根の伸長状況を監視して防水層に到達する前に発見できれば、被害が小さいうちに補修工事を行うことができる。
【０００６】
そこで、本発明は、前記の問題を解決するためになされたものであり、植物の根の伸長状況を監視することができる防水緑化構造を提供することを課題とする。
【課題を解決するための手段】
【０００７】
前記の課題を解決するための請求項１に係る発明は、防水層部上に緑化層部を敷設した防水緑化構造であって、前記緑化層部は、土壌層と、保水排水層と、周縁部から延在する点検用凹部が下面に形成された板部材を敷設してなる点検層と、下方への根の侵入を防ぐ耐根層とを備え、前記緑化層部の側方には、前記点検用凹部を露出させるための点検スペースが設けられていることを特徴とする防水緑化構造である。
【０００８】
このような防水緑化構造によれば、板部材の側方の点検スペースから、点検用凹部を介して、根の伸長状況を監視することができるので、根が耐根層に到達する前に発見することができる。特に、点検用凹部にファイバースコープを挿入すれば、点検用凹部の奥の死角まで詳細に監視することができる。根の伸長を早期に発見することで、根を摘み取るなどの簡単な作業で、耐根層の破損を防止できる。
【０００９】
請求項２に係る発明では、前記点検スペースは、前記緑化層部の外周部の全周に亘って設けられていることを特徴とする。このような構成によれば、緑化層部の全体を監視することができる。
【００１０】
請求項３に係る発明では、前記点検スペースには、ドレイン管の吸水口が形成されていることを特徴とする。このような構成によれば、ドレイン管に土壌が接触しないので、ドレイン管の点検およびメンテナンスを容易に行える。
【００１１】
請求項４に係る発明では、前記防水層部内には、下部耐根層が設けられており、前記耐根層と併せて、耐根層が二層構造になっていることを特徴とする。このような構成によれば、万一、点検時に根が上部の耐根層を貫通していたとしても、下部耐根層が残っているので、建物内部への漏水を確実に防止できる。
【００１２】
請求項５に係る発明では、前記土壌層の下部には、ワイヤーメッシュが敷設されていることを特徴とする。このような構成によれば、植栽作業でスコップなどを用いた際に、スコップはワイヤーメッシュで止められるので、下部の保水排水層、板部材や防水層部を破損するのを防止できる。
【発明の効果】
【００１３】
本発明によれば、根の伸長状況を監視することができ、根が耐根層に到達する前に発見することができるといった優れた効果を発揮する。
【図面の簡単な説明】
【００１４】
【図１】本発明の実施形態に係る防水緑化構造を示した断面図である。
【図２】本発明の実施形態に係る防水緑化構造の板部材を示した図であって、（ａ）は側面図、（ｂ）は底面図である。
【図３】保水排水層の立体構造パネルを示した図であって、（ａ）は斜視図、（ｂ）および（ｃ）は断面図である。
【図４】本発明の実施形態に係る防水緑化構造の緑化層部の端部を示した図であって、（ａ）は側面図、（ｂ）は断面図である。
【図５】本発明の実施形態に係る防水緑化構造の緑化層部の端部および点検スペースを示した断面図である。
【図６】本発明の実施形態に係る防水緑化構造を示した平面図である。
【発明を実施するための形態】
【００１５】
本発明の実施形態について図面を参照して詳細に説明する。本実施形態では、防水緑化構造をルーフバルコニーに設けた場合を例に挙げて構成を説明するが、防水緑化構造の設置場所をルーフバルコニーに限定する趣旨ではない。
【００１６】
図１に示すように、本実施形態に係る防水緑化構造１は、防水層部１０の上に緑化層部３０を敷設して構成されている。防水層部１０は、下側から断熱層１１、アスファルト防水層１２、耐根層１３、接着シート１４、不燃材１５が順次形成されてなる。
【００１７】
断熱層１１は、押出法ポリスチレンフォームからなる板状の部材である。断熱層１１は、上面部が傾斜しており、水勾配を確保できるようになっている。断熱層１１の下面には、通気用の溝１１ａが複数列形成されている。なお、断熱層１１の材質はポリスチレンフォームに限定されるものではなく、硬質ウレタンフォームなどの他の材質で形成されていてもよい。
【００１８】
アスファルト防水層１２は、合成繊維不織布にアスファルトを含浸したシート状部材を断熱層１１上に貼り重ねて形成されている。本実施形態では、シート状部材を三層重ねにしてアスファルト防水層１２を形成している。
【００１９】
耐根層１３は、根の侵入を防止するシート状部材である。耐根層１３は、プラスチックフィルムの片面（下面）にアスファルト系粘着材が敷設されてなる。耐根層１３を敷設する際には、アスファルト系粘着材の表面の剥離紙を剥がして貼り付けるようになっており、施工が簡便で、容易にずれることはない。耐根層１３は、緑化層部３０に設けられている耐根層の下方に位置しており、「下部耐根層（請求項４）」と称する場合がある。
【００２０】
接着シート１４は、不燃材１５を耐根層１３に貼り付けるためのシート状部材である。
【００２１】
不燃材１５は、不燃材料としての認定を受けた仕上げ材であって、防水層部１０の表面材として用いられている。不燃材１５は、ガラス系基材などに無機系充填材と合成樹脂を主成分としたエマルジョンを含浸。塗布し、表面に砂を撒着させて構成されている。不燃材１５は、耐衝撃性能および耐摩耗性能を備えている。
【００２２】
緑化層部３０は、下側から耐根層３１、点検層３２、保水排水層４１および土壌層４７が順次配設されてなる。
【００２３】
耐根層３１は、防水層部１０の耐根層１３と同等のものが用いられている。耐根層３１は、不燃材１５の上に、接着させた状態で敷設されている。本実施形態に係る防水緑化構造１では、耐根層３１と下部耐根層１３とで、耐根層が二層構造となっている。
【００２４】
点検層３２は、側部から内部を監視して点検するための部分であって、板部材３３を敷設して構成されている。図２に示すように、板部材３３は、たとえば、押出法ポリスチレンフォームや硬質ウレタンフォームなどの樹脂系発泡材料からなる矩形板状の部材である。なお、板部材３３の部材は、樹脂系発泡材料に限定されるものではなく、プラスチックの射出成型品やプレス成型品など、他のもので構成してもよい。板部材３３の下面には、点検用凹部３４が形成されている。点検用凹部３４は、板部材３３の下面に形成されており、その端部は板部材３３の外周縁部に開口している。点検用凹部３４は、板部材３３の外周縁部から内方まで繋がっている。点検用凹部３４は、ファイバースコープを挿入可能な断面を備えている。点検用凹部３４は、板部材３３の下面で縦横に間隔をあけて形成された矩形凸部３５，３５の間に構成されており、断面矩形を呈している。点検用凹部３４は、板部材３３の底面視で格子状に繋がって形成されている。
【００２５】
矩形凸部３５は、板部材３３の外周端面から内側にオフセットして形成されており、板部材３３の外周縁部に沿って点検用凹部３４が形成されている。板部材３３は、緑化層部３０の広さに応じて、単数枚あるいは複数枚、敷設されている。複数の板部材３３が敷設される場合は、板部材３３，３３の突合せ部分には、必ず点検用凹部３４，３４が突合せ面に沿って形成されることになる。突合せ部分の点検用凹部３４，３４は、点検スペース７０から奥に向かって延在するので、ファイバースコープが挿入可能である。なお板部材３３の形状は、前記構成に限定されるものではなく、ファイバースコープを内方まで挿入可能な点検用凹部３４を備えていれば、他の形状であってもよい。
【００２６】
保水排水層４１は、土壌層４７を支持するとともに、水を保持する部分である。保水排水層４１は、保水・排水・通気機能を備えた立体構造パネル４３を敷設して構成されている。
【００２７】
図３に示すように、立体構造パネル４３は、下方に窪む複数の保水用凹部４４ａを備えている。保水用凹部４４ａは、縦横に所定間隔をあけて配置されている。保水用凹部４４ａの下面が下方に突出する凸部４４ｂとなっており、立体構造パネル４３の下側において、隣り合う凸部４４ｂ，４４ｂ間の隙間が排水路４５となる。保水用凹部４４ａの上側周縁部には、貫通孔４６が形成されている。貫通孔４６は、通常時に立体構造パネル４３の上下方向に通気を行う役目を果たすとともに、大雨時などに上側でオーバーフローした水を下側に流す役目を果たす。保水用凹部４４ａには、パーライトが充填されており、保水空間を保持するようになっている。
【００２８】
土壌層４７は、植物が植えられる土の層であって、植えられる植物に応じて土の種類や厚さが設定される。本実施形態では、比重を自然土壌の約半分に抑えた人工軽量土壌が採用されている。土壌層４７の下部には、格子状のワイヤーメッシュ４８が敷設されている。具体的には、立体構造パネル４３の上にワイヤーメッシュ４８が敷設され、その上から人工軽量土壌が撒かれている。ワイヤーメッシュ４８の目の大きさは、一般的なスコップの先端部が通過しない寸法となっている。
【００２９】
緑化層部３０の外周部には、各層を囲うと共に、土壌の流出を防止するための壁体５０が設けられている。図４に示すように、壁体５０は、耐根層３１から土壌層４７までの高さより若干高く形成されている。壁体５０は、断面コ字状を呈しており、上側水平部５１ａおよび下側水平部５１ｂが、緑化層部３０の内部に突出するように配置されている。下側水平部５１ｂは、上側水平部５１ａよりも長い幅寸法を備えており、板部材３３の下側に敷き込まれている。上側水平部５１ａは、土壌層４７の外周部に沿って縁部の枠を構成している。上側水平部５１ａ上には、木製枠などが設置される。上側水平部５１ａと下側水平部５１ｂの間には、中間水平部５１ｃが形成されている。中間水平部５１ｃは、板部材３３の側面から内部に差し込まれている。壁体５０の外側面の下部には、水抜き用の開口部５２が形成されている。開口部５２は、ファイバースコープが通過可能となっており、この開口部５２からファイバースコープを通して、点検用凹部３４の内部を監視する。
【００３０】
図５および図６に示すように、緑化層部３０の側方には、点検スペース７０が設けられている。点検スペース７０は、板部材３３の側面の点検用凹部３４を露出させる（本実施形態では、壁体５０の開口部５２を介して点検用凹部３４が露出されている）ための空間であって、作業員は点検スペース７０から点検用凹部３４の内部を監視する。点検スペース７０は、バルコニーの立上り壁２または建物の外壁３（図６参照）と緑化層部３０との間で、防水層部１０の上部に形成されている。つまり、点検スペース７０は、バルコニーの立上り壁２または建物の外壁３と、緑化層部３０の外周面（壁体５０）と、防水層部１０の表面とで区画されている。防水層部１０は、バルコニーの梁４上に設けられた下地合板５上に敷設されており、立上り壁２の内周面または外壁３の外面まで延在している。防水層部１０の表面の不燃材１５は、立上り壁２の内周面または外壁３の外面に沿って所定高さ立ち上げられており、不燃材１５上端部のバルコニー側には、立上り壁２または外壁３の仕上げ材が貼り付けられている（図５では立上り壁２の内周面部分のみ図示している）。
【００３１】
図６に示すように、点検スペース７０は、緑化層部３０の外周部の全周に亘って設けられており、バルコニーの立上り壁２または建物の外壁３と緑化層部３０との間に一定幅で形成されている。なお、図６中、符号「６」は、バルコニーに通じるはき出し窓を示す。
【００３２】
点検スペース７０には、ドレイン管７１の吸水口７２が形成されている。吸水口７２は水下部分に形成されている。なお、図示しないが、ドレイン管７１の他に、オーバーフロー管も立上り壁２の適所に設けられている。
【００３３】
点検スペース７０は、通常時、パネル状のウッドデッキ７３にて塞がれている。ウッドデッキ７３は、防水層部１０上に載置された支持脚７４上に敷設されており、点検時に取り除かれる。なお、点検スペース７０を塞ぐ部材は、ウッドデッキ７３に限定されるものではなく、取り外しが可能で、且つ上を歩行可能な板状部材であれば、人工木材あるいは樹脂製のデッキパネルや乾式タイルなどの、他の部材であってもよい。
【００３４】
以上のような構成の防水緑化構造１によれば、板部材３３の側部の点検スペース７０から、点検用凹部３４にファイバースコープを挿入することで、根の伸長状況を映像で明確に監視することができる。ファイバースコープによって、点検用凹部３４の奥の死角まで詳細に監視することができる。また、板部材３３の外周縁部に沿って点検用凹部３４が形成されているので、隣り合う板部材３３，３３の突合せ部分には必ず点検用凹部３４が位置することになる。この突合せ部分は、根が侵入しやすい場所であるところ、この場所を確実に監視できることは有効である。
【００３５】
これによって、根が耐根層３１に到達する前に発見することができる。つまり、根の伸長を早期に発見することで、根を摘み取るなどの簡単な作業で、耐根層３１の破損を防止できる。根の摘み取り作業は、ファイバースコープで監視しながら行うことで確実に根を除去することができる。このように、防水緑化構造１によれば、緑化層部３０を除去することなく、点検およびメンテナンスを容易に行うことができる。また、耐根層３１の破損を防止できるので、防水緑化構造１の耐用年数を長くすることができるとともに、大掛かりな補修工事は不要となるので、ランニングコストの低減を図れる。
【００３６】
点検スペース７０は、ウッドデッキ７３で塞いでいるだけなので、点検スペース７０を開放する作業も容易である。さらに、点検スペース７０に、ドレイン管７１やオーバーフロー管を設けているので、これら配管の点検およびメンテナンスを容易に行えるとともに、通常時には、ドレイン管７１やオーバーフロー管は、ウッドデッキ７３によって隠されるので、美観を向上させることができる。さらに、ドレイン管７１やオーバーフロー管が露出していないので、風で飛来してきた落ち葉やゴミがドレイン管７１などに詰まるのを防止できる。
【００３７】
本実施形態では、点検スペース７０は、緑化層部３０の外周部の全周に亘って設けられているので、緑化層部３０の全体を容易に監視することができる。さらに、緑化層部３０を、立上り壁２や外壁３から切り離すことができるので、立上り壁２や外壁３に土が接触せず、点検、メンテナンスが容易になる。特に、立上り壁２や外壁３の入隅部または出隅部などでは、点検、メンテナンスの頻度が多いので有効である。また、土壌内に白蟻や他の害虫がいた場合であっても、これら虫の建物内への侵入を抑制できる。さらに、点検スペース７０がゲリラ豪雨などの非常の集中豪雨時に、緑化層部３０で吸水しきれずに溢れた水を一旦溜めて排水する機能も有するので、居室側へのオーバーフローを防止することができる。
【００３８】
なお、点検時に万一、根が耐根層３１を貫通していたとしても、本実施形態では、耐根層３１の下部の防水層部１０にも下部耐根層１３が設けられているので、建物内に雨水などが浸入することはない。つまり、耐根層を二層構造としたことで、防水性の大幅な向上が達成されている。
【００３９】
さらに、本実施形態では、防水層部１０のアスファルト防水層１２は、シート状部材を三層重ねにして形成されているので、防水性能が非常に高くなり、耐用年数を長くしている。これによって、防水層部１０の補修工事のサイクルを長くできるので、緑化層部３０を取り除いて行う回数を低減でき、その分のランニングコストの低減を図れる。
【００４０】
土壌層４７の下部に、ワイヤーメッシュが敷設されているので、植栽作業でスコップなどを用いた際であっても、スコップはワイヤーメッシュで止められるので、下部の保水排水層４１、板部材３３、耐根層３１や防水層部１０の破損を防止できる。
【００４１】
以上、本発明を実施するための形態について説明したが、本発明は前記実施の形態に限定されず、本発明の趣旨を逸脱しない範囲で適宜設計変更が可能である。前記実施形態における防水層部１０と緑化層部３０の各層の配置は一例であって、緑化層部３０の下部に点検層３２が設けられていれば、他の層配置であってもよい。
【００４２】
また、前記実施形態では、緑化層部３０が平面視矩形であるが、これに限定されるものではなく、他の平面形状であってもよい。
【符号の説明】
【００４３】
１      防水緑化構造
１０    防水層部
３０    緑化層部
３１    耐根層
３２    点検層
３３    板部材
３４    点検用凹部
４１    保水排水層
４８    ワイヤーメッシュ
７０    点検スペース
７１    ドレイン管
７３    ウッドデッキ
【図１】
2014171414.tif 000003
【図２】
2014171414.tif 000004
【図３】
2014171414.tif 000005
【図４】
2014171414.tif 000006
【図５】
2014171414.tif 000007
【図６】
2014171414.tif 000008